(57)【特許請求の範囲】
【請求項１】
サイトダイバーシティ実行指示時から予め定めたＮ（自然数）スーパーフレーム後のスーパーフレームにおける予め定めたフレーム中のＴＭＣＣ情報区間でサイトの切り換えを行うデジタル衛星放送を受信するデジタル衛星放送受信方法であって、サイトダイバーシティ実行指示時から予め定めたＮ（自然数）スーパーフレーム後のスーパーフレームを検出し、検出したスーパーフレーム中のＴＭＣＣ情報区間の検出直後からキャリア再生のために８ＰＳＫ変調方式の受信とし、キャリア再生ループのループゲインを高速捕捉用のゲインに設定してキャリア再生を行い、前記スーパーフレーム中のＴＭＣＣ情報区間に続くフレーム識別用同期パターンを捕捉し、該フレーム識別用同期パターン区間において絶対位相化を行なった後、キャリア再生ループのループゲインを通常受信時のゲインに設定することを特徴とするデジタル衛星放送受信方法。
【請求項２】
サイトダイバーシティ実行指示時から予め定めたＮ（自然数）スーパーフレーム後のスーパーフレームにおける予め定めたフレーム中のＴＭＣＣ情報区間でサイトの切り換えを行うデジタル衛星放送を受信するデジタル衛星放送受信方法であって、サイトダイバーシティ実行指示時から予め定めたＮ（自然数）スーパーフレーム後のスーパーフレームを検出し、検出したスーパーフレーム中のＴＭＣＣ情報区間の検出直後からキャリア再生のために８ＰＳＫ変調方式の受信とし、クロック再生ループのループゲインおよびキャリア再生ループのループゲインを高速捕捉用のゲインに設定してクロック再生およびキャリア再生を行い、前記スーパーフレーム中のＴＭＣＣ情報区間に続くフレーム識別用同期パターンを捕捉し、該フレーム識別用同期パターン区間において絶対位相化を行なった後、クロック再生ループおよびキャリア再生ループのループゲインを通常受信時のゲインに設定することを特徴とするデジタル衛星放送受信方法。
【請求項３】
請求項１または２記載のデジタル衛星放送受信方法において、サイトダイバーシティ実行指示を検出したときにおけるＴＭＣＣ情報を保持し、ＴＭＣＣ情報を保持したときからサイト切り換えが行われるＴＭＣＣ情報区間に続くフレーム識別用同期パターンによる再同期終了まで、前記保持したＴＭＣＣ情報を用いて主信号を復号することを特徴とするデジタル衛星放送受信方法。
【請求項４】
請求項１または２記載のデジタル衛星放送受信方法において、キャリア再生ループのゲインが通常受信時のゲインに設定されたときからＴＭＣＣ情報に基づく変調方式別の受信をすることを特徴とするデジタル衛星放送受信方法。
【発明の詳細な説明】
【０００１】
【発明の属する技術分野】
本発明はデジタル衛星放送受信方法に関し、さらに詳細にはサイトダイバーシティに基づく放送を受信するデジタル衛星放送受信方法に関する。
【０００２】
【従来の技術】
デジタル衛星放送において、運用中の一方のアップリンク放送局周辺が降雨等により回線確保が不可能になることが予想される場合、他のアップリンク放送局による運用に切り換えるサイトダイバーシティが採用される。このサイトダイバーシティにおいて、アップリンク放送局の切り換えによる映像、音声にとぎれが生ずる等の影響を可能な限り最小にすることが望ましい。
【０００３】
本明細書において、運用中の一方のアップリンク放送局から他のアップリンク放送局による運用に切り換えることをサイトの切り換えと記す。
【０００４】
そこで、デジタル衛星放送において提案されているサイトダイバーシティ方法は、可能な限り切り換えによる映像、音声にとぎれが生じないようにするべくサイトの切り換えのときにデジタル衛星放送受信機で生ずるフリーズおよびミュートを可能な限り目立たないようにするために、サイトの切り換えをスーパーフレーム内で行うことが提案されている。
【０００５】
具体的にはＴＭＣＣ情報中の送受信制御情報中における図４に示す拡張領域（１〜４ビット）を利用して、そのビット４にサイトダイバーシティ実施スーパーフレーム指示のビットを立て（ビット４＝１）、ビットが立ってから、Ｎ（Ｎ＝１６）スーパーフレーム後のスーパーフレーム内でサイトダイバーシティを実施し、サイトダイバーシティを実施後、Ｍ（Ｍ＝０）スーパーフレームでビット４のビットを下ろす（ビット４＝０）ようにされる。
【０００６】
さらに、上記拡張領域のビット３を利用してビット３にビットを立てることにより主局からアップリンクすることを指示し、上記拡張領域のビット２を利用してビット２にビットを立てることにより副局からアップリンクすることを指示している。
【０００７】
上記のサイトダイバーシティに対応するべく、デジタル衛星放送受信機の復調部では、図５に示すように、検波されたベースバンド信号からキャリア再生用位相誤差テーブル８によって受信位相誤差に基づく位相誤差電圧を求め、位相誤差電圧をデジタルフィルタからなるキャリアフィルタ９Ａに供給し、キャリアフィルタ９Ａからの出力をＡＦＣ回路１０に供給して累積加算し、累積加算値により数値制御発振器１１の発振周波数を制御し、数値制御発振器１１からの出力を再生キャリアとして演算回路１に供給して再生キャリアと演算回路１に入力されるベースバンド信号Ｉ、Ｑとを乗算することにより検波する。
【０００８】
演算回路１から出力される検波出力をロールオフフィルタ２で帯域制限し、帯域制限された検波出力からフレーム同期回路３１においてフレーム同期パターンＷ１を検出してＴＭＣＣ情報を抽出し、抽出したＴＭＣＣ情報をＴＭＣＣデコーダ３２に供給してデコードし、抽出されたＴＭＣＣ情報をサイトダイバーシティ制御回路３３に供給して、サイトダイバーシティ制御回路３３において前記拡張領域におけるビット４に基づいてサイトダイバーシティの実行指示がなされているか否かを検出する。
【０００９】
サイトダイバーシティの実行指示がなされていると検出したらサイトダイバーシティ制御回路３３において、スーパーフレームを検出する毎にＮ値のカウントダウンを行い、Ｎ値が０、すなわちＮ＝０になるスーパーフレームに達したとき実行指示信号をフレーム同期回路３１に供給し、この実行指示信号を受けたフレーム同期回路３１では、実行指示信号にしたがいフレーム同期パターンＷ１が検出されるまで検出を行い、検出されたらフレーム同期パターンＷ１により再同期を行う。
【００１０】
【発明が解決しようとする課題】
しかしながら、提案されている上記したサイトダイバーシティ方法によるときは、スーパーフレーム内のどこかでサイトの切り換えが行われることになって、スーパーフレーム内のどこでサイトの切り換えが行われるかが不明であるという問題点がある。
【００１１】
また、サイトが切り替わる時点で主局と副局との間における互いのキャリア周波数のずれやクロック位相のずれなどが想定され、さらにフレーム周期のずれ、例えば切り換え前後において５ｍｓｅｃ程度のずれなどが想定され、このずれにより映像が乱れたり、音声が途絶えたりするという問題点が生ずる。
【００１２】
またこの方法によるときは、サイトの切り換えはスーパーフレーム内の何処かで切り替わり、この切り替わりの瞬間に、キャリア周波数、クロック位相、フレーム周期等がずれることにより、デジタル衛星放送受信機では一旦システムロックが外れ、再同期を行わなければならない。スーパーフレーム中の何処で切り替わるかは１スーパーフレーム内では不定のため、再同期は少なくとも次のスーパーフレームでシステムロックを行うことになり、これが最短の期間となる。
【００１３】
したがって、サイトが切り替わる瞬間のスーパーフレーム内のデータは再生をすることはできなくなり、デジタル衛星放送受信機において例えば映像データにエラーが発生し、映像が乱れ、音声が途絶えたりするという問題点が生ずる。
【００１４】
本発明は、サイトの切り換えの際、素早く再同期ができるデジタル衛星放送受信方法を提供することを目的とする。
【００１５】
【課題を解決するための手段】
本発明の請求項１にかかるデジタル衛星放送受信方法は、サイトダイバーシティ実行指示時から予め定めたＮ（自然数）スーパーフレーム後のスーパーフレームにおける予め定めたフレーム中のＴＭＣＣ情報区間でサイトの切り換えを行うデジタル衛星放送を受信するデジタル衛星放送受信方法であって、サイトダイバーシティ実行指示時から予め定めたＮ（自然数）スーパーフレーム後のスーパーフレームを検出し、検出したスーパーフレーム中のＴＭＣＣ情報区間の検出直後からキャリア再生のために８ＰＳＫ変調方式の受信とし、キャリア再生ループのループゲインを高速捕捉用のゲインに設定してキャリア再生を行い、前記スーパーフレーム中のＴＭＣＣ情報区間に続くフレーム識別用同期パターンを捕捉し、該フレーム識別用同期パターン区間において絶対位相化を行なった後、キャリア再生ループのループゲインを通常受信時のゲインに設定することを特徴とする。
【００１６】
本発明の請求項１にかかるデジタル衛星放送受信方法によれば、サイトの切り換えが行われるＴＭＣＣ情報区間の検出直後の時点からキャリア再生のために８ＰＳＫ変調方式の受信とされ、キャリア再生ループのループゲインが高速捕捉用のゲインに設定されるために、キャリア再生が素早く行われ、サイトの切り換えが行われるスーパーフレーム中の予め定めたフレームにおけるＴＭＣＣ情報区間に続くフレーム識別用同期パターンによって同期が取られて、再同期が最短の時期に行えて、映像データにエラーが発生することはなく映像が乱れることもなく、音切れなども生じない。
【００１７】
本発明の請求項２にかかるデジタル衛星放送受信方法は、サイトダイバーシティ実行指示時から予め定めたＮ（自然数）スーパーフレーム後のスーパーフレームにおける予め定めたフレーム中のＴＭＣＣ情報区間でサイトの切り換えを行うデジタル衛星放送を受信するデジタル衛星放送受信方法であって、サイトダイバーシティ実行指示時から予め定めたＮ（自然数）スーパーフレーム後のスーパーフレームを検出し、検出したスーパーフレーム中のＴＭＣＣ情報区間の検出直後からキャリア再生のために８ＰＳＫ変調方式の受信とし、クロック再生ループのループゲインおよびキャリア再生ループのループゲインを高速捕捉用のゲインに設定してクロック再生およびキャリア再生を行い、前記スーパーフレーム中のＴＭＣＣ情報区間に続くフレーム識別用同期パターンを捕捉し、該フレーム識別用同期パターン区間において絶対位相化を行なった後、クロック再生ループおよびキャリア再生ループのループゲインを通常受信時のゲインに設定することを特徴とする。
【００１８】
本発明の請求項２にかかるデジタル衛星放送受信方法によれば、サイトの切り換えが行われるＴＭＣＣ情報区間の検出直後の時点からキャリア再生のために８ＰＳＫ変調方式の受信とされ、クロック再生ループのループゲインおよびキャリア再生ループのループゲインが高速捕捉用のゲインに設定されるために、クロック再生およびキャリア再生が素早く行われ、サイトの切り換えが行われるスーパーフレーム中の予め定めたフレームにおけるＴＭＣＣ情報区間に続くフレーム識別用同期パターンによって同期が取られて、再同期が最短の時期に行えて、映像データにエラーが発生することはなく映像が乱れることもなく、音切れなども生じない。
【００１９】
本発明の請求項３にかかるデジタル衛星放送受信方法は、請求項１または２記載のデジタル衛星放送受信方法において、サイトダイバーシティ実行指示を検出したときにおけるＴＭＣＣ情報を保持し、ＴＭＣＣ情報を保持したときからサイト切り換えが行われるＴＭＣＣ情報区間に続くフレーム識別用同期パターンによる再同期終了まで、前記保持したＴＭＣＣ情報を用いて主信号を復号することを特徴とする。
【００２０】
本発明の請求項３にかかるデジタル衛星放送受信方法によれば、サイトの切り換えが行われるＴＭＣＣ情報のみが正常に受信することができないが、ＴＭＣＣ情報はそう頻繁に変わるものではなく、ＴＭＣＣ情報が前置保持されているため、前置保持されているＴＭＣＣ情報を用いて主信号を復号することができ、これによりサイトダイバーシティ切り換えが行われても正常に受信を継続することができて、画像の乱れや音声の途切れなどは実質的には生じない。
【００２１】
本発明の請求項４にかかるデジタル衛星放送受信方法は、請求項１または２記載のデジタル衛星放送受信方法において、キャリア再生ループのゲインが通常受信時のゲインに設定されたときからＴＭＣＣ情報に基づく変調方式別の受信をすることを特徴とする。
【００２２】
本発明の請求項４にかかるデジタル衛星放送受信方法によれば、キャリア再生ループのゲインが通常受信時のゲインに設定されたときからＴＭＣＣ情報に基づく変調方式別の受信、すなわち通常の受信状態に戻されることになる。
【００２３】
【発明の実施の形態】
以下、本発明にかかるデジタル衛星放送受信方法を実施の形態によって説明する。
【００２４】
図１は、本発明の実施に一形態にかかるデジタル衛星放送受信方法が適用される衛星放送受信機の復調部の構成を示すブロック図である。
【００２５】
本発明の実施に一形態にかかるデジタル衛星放送受信方法の説明に先だって出願人が提案しているサイトの切り換えについて説明する。
【００２６】
図３（ａ）は、デジタル衛星放送における１スーパーフレームの構成を示す模式図である。
【００２７】
公知のように階層化放送方式では、１スーパーフレームは図３（ａ）に示すように８フレームから構成され、各フレームは図３（ｂ）に例示するようにフレーム同期パターンＷ１、ＴＭＣＣ（伝送多重構成制御）情報、スーパーフレーム中の先頭フレームか否かを識別するためのフレーム識別用同期パターンＷ２またはＷ３、主信号、基準バースト信号、主信号、バースト信号、…、主信号、バースト信号から構成されている。スーパーフレーム中の先頭フレームにはフレーム識別用同期パターンＷ２が、２〜８フレームにはフレーム識別用同期パターンＷ３が使用されている。なお、図３（ｂ）では第２番目のフレームを示している。
【００２８】
主信号は変調方式トレリスコード８ＰＳＫ、ＱＰＳＫまたはＢＰＳＫであり、フレーム同期パターンＷ１、フレーム識別用同期パターンＷ２、Ｗ３、ＴＭＣＣ情報および基準バースト信号はＢＰＳＫであり、フレーム同期パターンＷ１、フレーム識別用同期パターンＷ２、Ｗ３は各３２シンボル（固定ビットの２０シンボルを含む）、ＴＭＣＣ情報は１２８シンボル、主信号は２０３シンボル、バーストは４シンボルである。また、１フレームは３９９３６シンボルで構成されている。
【００２９】
ＴＭＣＣ情報中の送受信制御情報中における拡張領域のビット４にビットが立ったときから、すなわちサイト切り換え実行指示信号を受けたときからスーパーフレームを１６回計数したときのスーパーフレーム中においてサイトの切り換えが行われるのであるが、サイトの切り換えが行われスーパーフレーム中におけるサイトの切り換えは、予め定めたフレーム中のＴＭＣＣ情報区間内、例えば最後のフレーム中におけるＴＭＣＣ情報区間内において行う。
【００３０】
例えば、図３（ａ）が、サイトダイバーシティの実行指示信号に基づいて切り換えが行われるスーパーフレームであるとすれば、図３（ｂ）に示す如く該スーパーフレームの最後のフレーム中におけるＴＭＣＣ情報期間内においてサイトの切り換えを行う。
【００３１】
図１に示すデジタル衛星放送受信機の復調部に戻って説明する。
【００３２】
図１に示すデジタル衛星放送受信機の復調部において、ベースバンド信号Ｉ、Ｑに数値制御発振器１１から出力される直交する再生キャリアが演算回路１において乗算されて、ベースバンド信号Ｉ、Ｑが直交検波される。直交検波されたベースバンド信号Ｉ、Ｑはロールオフフィルタ２に供給されて帯域制限される。
【００３３】
ロールオフフィルタ２にて帯域制限されたベースバンド信号Ｉ、Ｑは絶対位相計算回路６およびリマッパ回路７に供給される。絶対位相計算回路６においてフレーム同期パターンＷ１の受信位相に基づくベースバンド信号Ｉ、Ｑの信号点配置と送信側のそれとの差に基づく位相差信号が求められ、リマッパ回路７は絶対位相計算回路６によって求めた位相差信号を受けてリマッパ回路７によってベースバンド信号Ｉ、Ｑの信号点配置が位相差信号に応じて位相回転させることにより、受信ベースバンド信号Ｉ、Ｑの信号点配置が送信側のそれと同一にさせられる。リマッパ回路７を介したベースバンド信号Ｉ、Ｑは、キャリア再生用位相誤差テーブル８に供給される。
【００３４】
一方、ロールオフフィルタ２にて帯域制限されたベースバンド信号Ｉ、Ｑはフレーム同期検出回路３に供給され、フレーム同期検出回路３においてフレーム同期パターンＷ１が検出され、送信側のフレーム同期パターンＷ１と一致して同期がとれたと判別されたとき、ＴＭＣＣ情報中から生成された図３（ｃ）および図３（ｄ）に示す信号Ａ１、Ａ０が絶対位相計算回路６およびキャリア再生用位相誤差テーブル８へ送出される。
【００３５】
ここで、信号Ａ１、Ａ０が共に低電位のときは主信号の変調方式が８ＰＳＫ変調方式であり、信号Ａ１が低電位で、かつ信号Ａ０が高電位のときは主信号の変調方式がＱＰＳＫ変調方式であり、信号Ａ１が高電位で、かつ信号Ａ０が低電位のときは主信号の変調方式がＢＰＳＫ変調方式であり、信号Ａ１、Ａ０が共に高電位のときはバースト信号であると識別する変調方式識別信号として作用し、絶対位相計算回路６および後記のキャリア再生用位相誤差テーブル８に主信号の変調方式識別信号として供給される。
【００３６】
信号Ａ１およびＡ０受けた絶対位相計算回路６ではフレーム同期パターンＷ１の受信位相に基づき位相差信号が求められてリマッパ回路７に出力されて、リマッパ回路７においてベースバンド信号Ｉ、Ｑは位相差信号に基づく角度回転させられて送信側の位相と同一にされる。
【００３７】
リマッパ回路７において送信側の位相と一致させられたベースバンド信号Ｉ、Ｑはキャリア再生用位相誤差テーブル８に供給される。キャリア再生用位相誤差テーブル８では信号Ａ１、Ａ０に基づいて識別された変調方式に対応する位相誤差テーブルが参照されて、主信号の変調方式に基づき参照された位相誤差テーブルからベースバンド信号Ｉ、Ｑの位相誤差に基づく位相誤差電圧がキャリア再生用位相誤差テーブル８から出力される。
【００３８】
キャリア再生用位相誤差テーブル８から読み出された位相誤差電圧はキャリア再生用のループフィルタを形成するデジタルフィルタ９を介してＡＦＣ回路１０に供給されてその低域成分が取り出され、ＡＦＣ回路１０においてデジタルフィルタ９を介した位相誤差電圧が順次累積加算される。ＡＦＣ回路１０からの各加算時点の累積加算出力は数値制御発振器１１に供給されて、累積加算値に基づく周波数の正負の正弦波データおよび正負の余弦波データが出力される。ここで、累積加算時点の出力により数値制御発振器１１の発振周波数が変更されて、キャリア再生が行われる。ここで数値制御発振器１１の発振周波数が変更されていく意味においてＡＦＣと類似であり、ＡＦＣ回路１０と記している。
【００３９】
演算回路１において、数値制御発振器１１から出力される正の正弦波データはベースバンド信号Ｉと乗算され、負の余弦波データはベースバンド信号Ｑと乗算され、この乗算結果が加算されてベースバンド信号Ｑとして出力される。また、同様に、正の余弦波データはベースバンド信号Ｉと乗算され、負の正弦波データはベースバンド信号Ｑと乗算され、この乗算結果が加算されてベースバンド信号Ｉとして出力される。このように演算回路１において直交検波される。
【００４０】
ロールオフフィルタ２から出力されたベースバンド信号Ｉ、Ｑは、変化点検出回路１２および位相誤差検出回路１３に供給され、変化点検出回路１２においてベースバンド信号Ｉ、Ｑに基づくアイパターンとＩ軸、Ｑ軸それぞれのゼロクロス点の位置情報を求め、求めたゼロクロス点の位置情報が位相誤差検出回路１３に送出される。ゼロクロス点の位置情報を受けた位相誤差検出回路１３において、ゼロクロス点の位置情報とアイの開口点間の中央位置、すなわち本来のゼロクロス点の位置との差に基づく位相誤差を求められる。
【００４１】
位相誤差検出回路１３にて求めた位相誤差信号はクロック再生用のループフィルタを形成するデジタルフィルタに１４に供給し、デジタルフィルタ１４にて低域成分を抽出し、デジタルフィルタ１４の出力信号をＤ／Ａ変換器１５に供給してアナログ信号に変換し、Ｄ／Ａ変換器１５からの出力信号は電圧制御信号として自走周波数が５７．７２ＭＨｚ（シンボルレート２８．８６ＭＨｚの２倍）の電圧制御発振回路１６に供給して発振周波数を制御することにより、マスタークロックが再生されて各回路に送出される。
【００４２】
一方、ロールオフフィルタ２にて帯域制限されたベースバンド信号Ｉ、Ｑを受けたフレーム同期検出回路３では、供給されたベースバンド信号Ｉ、Ｑからフレーム同期パターンＷ１、フレーム識別用同期パターンＷ２（Ｗ３）およびＴＭＣＣ情報が検出される。検出されたＴＭＣＣ情報はＴＭＣＣデコーダ４に送出されて、ＴＭＣＣデコーダにおいてデコードされ、かつ保持される。
【００４３】
ＴＭＣＣデコーダ４においてＴＭＣＣ情報中の拡張領域におけるビット４によってサイトダイバーシティ実行指示がなされていることを検出したとき、サイトダイバーシティ制御回路５において前記Ｎ値がスーパフレーム検出毎にカウントダウンされてＮ＝０になるスーパーフレームになると、サイトダイバーシティ制御回路５から実行指示信号がフレーム同期検出回路３、デジタルフィルタ９およびクロック再生用のデジタルフィルタ１４に送出される。
【００４４】
サイトダイバーシティ制御回路５からの実行指示信号を受けたフレーム同期検出回路３では、Ｎ＝０となったスーパーフレームの最後のフレームにおけるフレーム識別用同期パターンＷ３が検出されるまで、変調識別信号を主信号が８ＰＳＫ変調方式のときにおける変調識別信号を絶対位相計算回路６およびキャリア再生用位相誤差テーブル８に送出する。サイトダイバーシティ制御回路５からの実行指示信号を受けたデジタルフィルタ９および１４では、Ｎ＝０となったスーパーフレームの最後のフレームにおけるフレーム識別用同期パターンＷ３が検出されるまで、同期維持のための設定から例えばループゲインを上げるなど高速捕捉用のパラメータに設定が変更される。
【００４５】
次に、本発明の実施の形態にかかるデジタル衛星放送受信方法による場合の作用について、図２のフローチャートに基づいて説明する。
【００４６】
受信開始されると、ＴＭＣＣ情報中における送受信制御情報の拡張領域のビット４にビットが立ったか否かを検知してサイトの切り換え指示が検出されたか否かがチェックされる（ステップＳ１）。サイトの切り換え指示がなされたと判別されたときは、ＴＭＣＣ情報を正常に受信しているならそのＴＭＣＣ情報が保持される（ステップＳ２）。ステップＳ２においては正常に受信している状態であり、ＴＭＣＣ情報は保持されることになる。
【００４７】
ステップＳ２に続いて、ステップスーパーフレーム毎にカウントダウンされて、前記Ｎ値がＮ＝０に達するまでステップＳ２から繰り返してＮ＝０に達するのを待つ（ステップＳ３）。ステップＳ３においてＮ＝０になったと判別されると、Ｎ＝０になったときのスーパーフレーム中における第８番目のフレームのＴＭＣＣ情報が検出されるのを待つ（ステップＳ４）。
【００４８】
本例ではＮ＝０になったときのスーパーフレーム中における最後のフレームで切り替えるように予め設定してあるため、Ｎ＝０になったときのスーパーフレーム中における第８番目のフレーム（最後のフレーム）のＴＭＣＣ情報が検出されるのを待つのである。例えば第５番目のフレームと予め設定されているときは第５番目のフレーム中におけるＴＭＣＣ情報の検出を待つことになる。
【００４９】
ステップＳ４においてＮ＝０になったときのスーパーフレーム中における第８番目のフレームのＴＭＣＣ情報が検出されると、ステップＳ４に続いて、キャリア再生のみが８ＰＳＫ変調方式の受信方式に設定される（ステップＳ５）。
【００５０】
ここで、８ＰＳＫ変調方式の受信方式に設定する理由は次の如くである。サイトダイバーシティを行った場合、変調波について想定されることは周波数のずれと位相のずれである。周波数のずれは送信設備の性能で決まり、約１ｋＨｚ内程度であることが判っている。これに対して位相のずれは不定である。しかるに、復調部の復調動作としては、数十シンボル内でキャリアの再生を考えると位相ずれを最小に押さえて、周波数ずれを早く消去したい。このために、ＢＰＳＫ変調区間をＢＰＳＫ変調方式として受信するよりも、収束点の多い８ＳＫ変調方式の受信としたほうが位相ずれは最小で収まる。このためにステップＳ５では８ＰＳＫ変調方式のデータ受信方式に設定するのである。
【００５１】
ステップＳ５に続いて、フレーム同期状態がリセットされる（ステップＳ６）。フレーム同期検出回路３においてフレーム同期状態のリセットが行われる。フレーム同期検出回路３では、フレーム同期中は周期的なフレーム同期パターンの確認であるが、フレーム同期のリセット後は同期パターンの検出が行なわれことになる。
【００５２】
ステップＳ６に次いで、デジタルフィルタ９および１４によるループゲインの設定によりキャリア再生、クロック再生のループパラメータが高速捕捉用に設定され（ステップＳ７）、次に、第８番目のフレームのフレーム識別パターンＷ３が検出されるのを待つ（ステップＳ８）。通常はクロック再生が先に同期して、次いでキャリ再生がなされる。デジタル復調方式ではクロックが再生していないとキャリアの再生ができないためである。
【００５３】
ステップＳ８において、第８番目のフレームのフレーム識別用同期パターンＷ３が検出されると、第８番目のフレームのフレーム識別用同期パターンＷ３の区間における絶対位相化が指示されて、絶対位相化がなされ（ステップＳ９）、絶対位相化がなされると、デジタルフィルタ９および１４によるループゲインの設定が高速捕捉用の設定から通常受信用に設定されている（ステップＳ１０）。
【００５４】
ステップＳ１０に続いて、キャリア再生およびクロック再生が主信号の変調方式別の受信に変更され（ステップＳ１１）、ＴＭＣＣ情報が正常に受信されるのを待って（ステップＳ１２）、通常受信状態となる。すなわち、キャリア再生ループのゲインが通常受信時のゲインに設定されたときからＴＭＣＣ情報に基づく変調方式別の受信がなされる。なお、ステップＳ１２におけるＴＭＣＣ情報が正常に受信されたか否かは、ＴＭＣＣ情報に加えられている外符号としてのリードソロモン誤り訂正符号による誤り訂正が正常に終了したことによって判別される。
【００５５】
なお、上記において、サイトの切り換えはＴＭＣＣ情報区間にて行われ、実際にはサイトの切り換えが行われるＴＭＣＣ情報のみが正常に受信することができないが、ＴＭＣＣ情報はそう頻繁に変わるものではなく、ステップＳ２においてＴＭＣＣ情報を前置保持してあるため、前置保持されているＴＭＣＣ情報を用いて主信号を復号することができる。これによりサイトダイバーシティ切り換えが行われても正常に受信を継続することができて、画像の乱れや音声の途切れなどは実質的には生じない。したがって実際はサイトの切り換えが行われたＴＭＣＣ情報区間のＴＭＣＣ情報が正常に受信されないだけになる。
【００５６】
上記したように、本発明の実施の一形態にかかるデジタル衛星放送受信方法によれば、実行指示信号をサイトダイバーシティ制御回路５から受けたフレーム同期検出回路３では、Ｎ＝０となるスーパーフレームの予め定めたフレーム、本例ではＮ＝０となるスーパーフレームの最後のフレームにおけるＴＭＣＣ情報に続くフレーム識別用同期パターンＷ３（予め定めたフレームが第１番目のフレームのときはフレーム識別用同期パターンＷ２、予め定めたフレームが第２番目以降のフレームのときはフレーム識別用同期パターンＷ３）で再同期するように作用し、再同期がなされる。
【００５７】
上記のようにサイトの切り換えが行われるスーパーフレーム中の予め定めたフレームのＴＭＣＣ情報区間においてサイトの切り換えが行われる場合に、そのＴＭＣＣ情報区間に続くフレーム識別用同期パターンＷ２（Ｗ３）によって再同期がなされるため、再同期が最短の時期に行われる。また、上記の予め定めたフレームのＴＭＣＣ情報のみが遮断されることになるので、主信号のデータ復号には支障がない。
【００５８】
【発明の効果】
以上説明したように本発明のデジタル衛星放送受信方法によれば、サイトの切り換えが行われるスーパーフレーム中の予め定めたフレームにおけるＴＭＣＣ情報区間に続くフレーム識別用同期パターンによって同期が取られ、再同期が最短の時期に行えて、映像が乱れることもなく、音切れなども生じないという効果が得られる。
【図面の簡単な説明】
【図１】  本発明の実施に一形態にかかるデジタル衛星放送受信方法が適用される衛星放送受信機の復調部の構成を示すブロック図である。
【図２】  本発明の実施の形態にかかるデジタル衛星放送受信方法による場合の作用の説明に供するフローチャートである。
【図３】  デジタル衛星放送におけるスーパーフレームおよびフレームの説明図である。
【図４】  サイト切り換えのためのＴＭＣＣ情報区間の運用の説明図である。
【図５】  従来のデジタル衛星放送受信機の構成を示すブロック図である。
【符号の説明】
１  演算回路
２  ロールオフフィルタ
３  フレーム同期検出回路
４  ＴＭＣＣデコーダ
５  サイトダイバーシティ制御回路
６  絶対位相計算回路
７  リマッパ回路
８  キャリア再生用位相誤差テーブル
９および１４  デジタルフィルタ
１０  ＡＦＣ回路
１１  数値制御発振器
１２  変化点検出回路
１３  位相誤差検出回路
１４  電圧制御発振回路
２５  キャリア再生回路
【図１】
0003660969.tif 000002
【図２】
0003660969.tif 000003
【図３】
0003660969.tif 000004
【図４】
0003660969.tif 000005
【図５】
0003660969.tif 000006